【事件の表示】
　特願２０００−３２９４８５「パチンコ機」拒絶査定不服審判事件〔平成１３年６月５日出願公開、特開２００１−１４９５６７〕について、次のとおり審決する。
【結　論】
　本件審判の請求は、成り立たない。
【理　由】
１．手続の経緯・本願発明
　本願は、平成３年６月５日に出願された特願平３−１６２０２９号の一部を分割して新たな特許出願とした特願２０００−３２９４８５号に係り、その請求項１に係る発明（以下、「
本願発明１
「【請求項１】　遊技盤面に、図柄表示体を有する表示装置と、始動口検出スイッチを有する始動口と、がそれぞれ配置されたパチンコ機であって、
　前記始動口は、前記表示装置とは別個に形成され、かつ同表示装置の直下に位置して前記遊技盤に配置され、
　前記表示装置は、前記図柄表示体と、通過口と、通過球検出スイッチと、球通路と、下板と、を備え、
　前記図柄表示体は、前記始動口へ遊技球が流入して前記始動口検出スイッチによって検出されることを条件として図柄を変動させた後その停止時の図柄の組合せによって大当りか否かを遊技者に知らせるように構成され、
　前記通過口は、前記遊技盤面を転動する遊技球を受け入れ可能に形成され、
　前記通過球検出スイッチは、前記通過口に受け入れた全ての遊技球を検出可能に構成され、
　前記球通路は、前記通過口と前記下板との間において前記図柄表示体の縁部に沿って形成されると共に、同球通路上を移動している遊技球を遊技者が常時視認可能に構成され、　前記下板は、前記球通路を経た遊技球を受け、かつその遊技球を左右方向に転動させてその前側から前記始動口の方向へ放出可能なように前方傾斜するように形成された凹曲部を有し、
　その凹曲部は、その後端縁が前記大当りか否かを知らせるための図柄表示体の横幅寸法とほぼ同じ横幅寸法を有し、その前端縁が前記後端縁の横幅寸法より小さくかつ前記始動口の入口寸法より大きな横幅寸法を有し、さらに遊技球の直径の２倍よりも大きな奥行幅寸法を有するように構成され、
　前記遊技盤面上を転動して前記通過口に受け入れられた遊技球は、前記図柄表示体の縁部に沿う球通路を通過した後、前記下板の凹曲部上を左右方向に転動しながら前方に移動して前記凹曲部の前端縁から前記始動口の方向の遊技盤面へ放出されることを特徴とするパチンコ機。」
　
２．引用刊行物の事項記載
（１）原審における拒絶査定の理由に引用された本願特許出願前に頒布された刊行物である特開平３−４５２８０号公報（以下、「
引用刊行物１
　ア．「本発明の目的は、表示機能の他に別の付加価値を備えさせるようにして遊技者の興味を引くような新規なパチンコ機の表示装置を提供することである。」（１頁右欄１６行〜同１９行）
　イ．「表示装置１は、遊技盤の表面に取付けられる取付基板１０を有する。取付基板１０は、中央部と中央部の上部から横方向左右に腕状に延びる側部を有し、その両側部には打球が飛び込み可能な球受入部１１，１１，が形成され、中央部には大きな開口窓が形成される。」（２頁右上欄５行〜同１０行）
　ウ．「取付基板１０の裏面上部には、球受入部１１，１１に連通する球通路１５が設けられ、中央部には箱枠１６が設けられている。箱枠１６は、開口窓に連通する凹室１７を有し、その凹室１７内にはほぼ中央位置に球振分板１８が設けられていて上側空間部１７１と下側空間部１７２とに区分されている。」（２頁右上欄１５行〜同２０行）
　エ．「尚、前記上側空間部１７１の開口窓部分は透明板１２によって塞がれている。」（２頁左下欄３行〜同４行）
　オ．「前記上側空間部１７１の上部には球通路１５によって導かれてくる打球が落下する導入口１９が形成されていると共に、その奥部に可変表示部２０が設けられている。可変表示部２０は、複数の図柄例えば本実施例では横一列にデイジタルで３桁の数字が順次的に変化可能として表示され、それぞれ開口窓から見えるようになっている。」（２頁左下欄５行〜同１１行）
　カ．「前記下側空間部１７２の底部は凹室１７の奥部から前方に向って緩るく下り傾斜し、その傾斜下端が開口窓の下側辺に一致している。このため、上側空間部１７１から落下する打球はその底部を前方へ向けて転がって遊技盤上に落下する。」（２頁左下欄１２行〜同１６行）
　キ．「前記表示装置１は、遊技盤２のガイドレール３で囲まれた遊技部のほぼ中央部に配置されており、その下方には表示装置１の可変表示部２０の表示状態を変化開始させるための始動入賞口４と、一対の開閉片５ａ，５ａを有する変動入賞装置６及び複数の普通入賞口７が配設されている。」（２頁左下欄１８行〜同頁右下欄４行）
　ク．「また打球が始動入賞口４に入賞すると、表示装置１の可変表示部２０の表示が変動を開始し、一定時間経過後可変表示が停止され、その停止時における表示の組合わせで前記変動入賞装置６の開閉片５ａ，５ａを所定時間又は所定回数連続して開成させる所謂遊技者に有利な特定遊技状態に変化させるように電気的制御される。」（２頁右下欄１０行〜同１６行）
　ケ．「第６図を参照しながら表示装置１の作用について説明する。打球が球受入部１１，１１に入ると、その打球は球通路１５を流下して導入口１９から凹室１７の上側空間部１７１へ導かれ、球振分板１８の受部１８ａに落下する。そして、・・・球落下孔１８ｂのいづれかから下側空間部１７２の底部上に落下する。・・・。そして、底部に落下した打球は前方に転がり再び遊技盤２上へ落下するもので、下側空間部１７２の中央から遊技盤２上へ落下する打球は始動入賞口４へ高い確率で入賞することができ、反対に左右両側から落下する打球は始動入賞口４への入賞が非常に困難になる。」（３頁左上欄７行〜同頁右上欄５行）
　コ．「〔発明の効果〕　以上のように、本発明によれば可変表示部と打球が転動して遊技の興趣を高める打球転動空間部とを一体的に備えているので、パチンコ機の表示装置としては全く新規かつ斬新で他に類を見ない非常に面白いものとなり、遊技者の興味を大いに引くことができる。」（３頁右上欄６行〜同１２行）
　サ．添付図面の第１図には、遊技盤面を転動する遊技球を受け入れ可能に取付基板１０の前方に開口する球受入部１１，１１，が示されている。
　
　そうすると、引用刊行物１における上記摘記事項及び図面の記載によれば、引用刊行物１には、「遊技盤面に配置された始動入賞口４と、該始動入賞口４の上方に配置された表示装置１と、該表示装置１に設けられ前記始動入賞口４への遊技球の入賞によって図柄を変動させて表示する可変表示部２０とを備え、可変表示部２０の停止時における表示の組合わせで変動入賞装置６の開閉片５ａ，５ａを所定時間又は所定回数連続して開成させるパチンコ機であって、前記表示装置１の取付基板１０は、その両側部に打球が飛び込み可能な前方に開口する球受入部１１，１１が形成され、取付基板１０の裏面上部に球受入部１１，１１に連通する球通路１５が設けられ、中央部には箱枠１６が設けられ、前記箱枠１６は開口窓に連通する凹室１７を有し、その凹室１７内にはほぼ中央位置に球振分板１８が設けられていて上側空間部１７１と下側空間部１７２とに区分されていて、前記下側空間部１７２の底部が凹室１７の奥部から前方に向って緩るく下り傾斜して、その傾斜下端は開口窓の下側辺に一致し、前記上側空間部１７１の開口窓部分は透明板１２によって塞がれているとともに奥部に可変表示部２０が設けられていて、前記球受入部１１，１１から入った打球が凹室１７の上側空間部１７１へ導かれ、球振分板１８の受部１８ａに落下し、その皿状の受部１８ａの内周壁に沿って旋回しながら除々に勢力を弱めつつ中央部分に寄せられて球落下孔１８ｂから下側空間部１７２の底部上に落下し、底部に落下した打球は前方に転がり再び遊技盤２上へと落下するパチンコ機」の発明（以下、これを「
引用発明
　
（２）原審における拒絶査定の理由に引用された本願特許出願前に頒布された刊行物である特開平１−１７０４８５号公報（以下、「
引用刊行物２
　ア．「取付基板４６の左右にはポケット枠状の第２設定条件切換球入口５９、第３設定条件切換球入口６０を突設し、取付基板４６の裏面には第２設定条件切換球入口５９から入った球を取付基板４６の下端に開設した球排出口６１に案内する第１球流下路６２と第３設定条件切換球入口６０から入った球を上記球排出口６１に案内する第２球流下路６３を形成し、該第１球流下路６２内の途中に第２設定条件切換球検出器６４を、第２球流下路６３内の途中に第３設定条件切換球検出器６５を各々臨ませてなる。なお、阻止壁５１の外側部分は、透光性を有する板材６６，６６で構成し、各球流下路６２，６３内を球が流下する状態を遊技者側から見られるようにしてある。」（６頁右上欄１４行〜同頁左下欄８行）
　イ．「該遊技部３内のほぼ中央に中央入賞装置４を設け、該中央入賞装置４の下方に第１設定条件切換用球入口５、始動口としての第１特定入賞口６、第２特定入賞口７を配置する。」（２頁左上欄１８行〜同頁右上欄１行）
　ウ．「球が第１特定入賞口６に入り、第１特定入賞検出器４１がこの球を検出して電気的制御装置３６に信号を送ると、該電気的制御装置３６が中央入賞装置４の第１駆動源を所定の短時間（例えば、０．８秒間）宛２回だけ励磁する。一方、球が第２特定入賞口７に入り第２特定入賞検出器４２がこの球を検出して電気的制御装置３６に信号を送ると電気的制御装置３６が所定時間（例えば、０．５秒間）宛１回だけ励磁する。」（４頁左上欄１２行〜同２０行）
　エ．「上記した状態で遊技部３内を流下する球が左側の第２設定条件切換球入口５９に入ると、この球は第１球流下路６２内を流下する途中で第２設定条件切換球検出器６４に作用した後、取付基板４６の下端の球排出口６１から流出し、遊技部内に戻る。第２設定条件切換球検出器６４が球を検出して電気的制御装置６９に信号を送ると、該信号にもとづいて電気的制御装置６９の可変表示器駆動手段７６からの信号により第１表示部６８ａの識別表示が「ハート型の図柄」から「星型の図柄」に変換表示される。したがって、この状態では第１表示部６８ａに「星型の図柄」が、第３表示部６８ｃに「ハート型の図柄」が表示され、第２表示部６８ｂには「星型の図柄」と「ハート型の図柄」が所定時間間隔で交互に変換表示される。」（７頁右下欄１９行〜８頁左上欄１２行）
　オ．添付図面の第７図には、上記ア．に摘記した技術事項を示す中央入賞装置４３の正面図が示されている。
　
３．対比・判断及び一致点・相違点
（１）対比
　本願発明１と引用発明とを比較すると、引用発明における「可変表示部２０」、「表示装置１」、「始動入賞口４」、「球受入部１１」、「球通路１５」及び「下側空間部１７２の底部」のそれぞれが、本願発明１における「図柄表示体」、「表示装置」、「始動口」、「通過口」、「球通路」及び「下板」のそれぞれに対応する。
　また、引用発明の「該表示装置１に設けられ前記始動入賞口４への遊技球の入賞によって図柄を変動させて表示する可変表示部２０」が、本願発明１の「前記図柄表示体は、前記始動口へ遊技球が流入して図柄を変動させ」に対応することから、引用発明の「可変表示部２０の停止時における表示の組合わせで変動入賞装置６の開閉片５ａ，５ａを所定時間又は所定回数連続して開成させる」が、本願発明１の「前記図柄表示体は、図柄を変動させた後その停止時の図柄の組合せによって大当りか否かを遊技者に知らせるように構成され」に対応するといえる。
　そして、引用発明の「表示装置１の取付基板１０の両側部に打球が飛び込み可能な前方に開口する球受入部１１，１１」は、その第１図及び第６図の記載からみて、本願発明１と同じく「前記遊技盤面を転動する遊技球を受け入れ可能に形成され」ているといえる。
　さらに、引用発明の始動入賞口４とは別個に形成され該始動入賞口４の上方位置に配置される表示装置１の「下側空間部１７２の底部」は、引用刊行物の第３図、第５図及び第６図の記載から、球通路１５を経た遊技球を受け、かつその遊技球を下側空間部１７２の底部の前側から始動入賞口４の方向へ放出可能なように緩るく下り傾斜するように形成されていることが明らかである。
　
　そうすると、本願発明１と引用発明とは、
「遊技盤面に、図柄表示体を有する表示装置と、始動口と、がそれぞれ配置されたパチンコ機であって、
　前記始動口は、前記表示装置とは別個に形成され、かつ同表示装置の直下に位置して前記遊技盤に配置され、
　前記表示装置は、前記図柄表示体と、通過口と、球通路と、下板と、を備え、
　前記図柄表示体は、前記始動口へ遊技球が流入されることを条件として図柄を変動させた後その停止時の図柄の組合せによって大当りか否かを遊技者に知らせるように構成され、
　前記通過口は、前記遊技盤面を転動する遊技球を受け入れ可能に形成され、
　前記球通路は、前記通過口と前記下板との間において前記図柄表示体の縁部に沿って形成されると共に、
　前記下板は、前記球通路を経た遊技球を受け、かつその遊技球を転動させてその前側から前記始動口の方向へ放出可能なように前方傾斜するように形成され、
　前記遊技盤面上を転動して前記通過口に受け入れられた遊技球は、前記図柄表示体の縁部に沿う球通路を通過した後、前記下板上を転動しながら前方に移動して前端縁から前記始動口の方向の遊技盤面へ放出されるパチンコ機」
である点で一致し、次の点で両者の構成が相違する。
　
相違点１
　
相違点２
　
相違点３
　
相違点４
　
（２）相違点の検討
　つぎに、上記相違点について検討する。
　ア．
相違点１について
　そうであるから、大入賞装置を備える引用発明のパチンコ機においては、本願発明１と同様に、その始動口に始動口検出スイッチを有していることは、上記周知技術の存在からみて当然のことといえる。
　したがって、「前記図柄表示体は、前記始動口へ遊技球が流入して前記始動口検出スイッチによって検出されることを条件として図柄を変動させた後その停止時の図柄の組合せによって大当りか否かを遊技者に知らせる」ように構成されることも、大入賞装置を備える引用発明のパチンコ機においては、当然に具備している技術事項である。
　また、表示装置の通過口に「通過球検出スイッチ」を備えておき、前記通過球検出スイッチが「通過口に受け入れた全ての遊技球を検出可能に構成され」るようにしておくことは、引用刊行物２に記載されているように、本願特許出願前の公知技術である。
　そうしてみると、引用発明に、本願特許出願時の周知技術及び本願特許出願前の公知技術を適用することにより、本願発明１の相違点１に係る上記構成を得ることは、当業者が格別の困難を伴うことなく容易に想到できることである。
　
　イ．
相違点２について
　そして、引用発明に上記公知技術を適用することにより、本願発明１の相違点２に係る上記「球通路上を移動している遊技球を遊技者が常時視認可能に構成され」の構成を得ることは、当業者が格別の困難を要することなく容易に想到できることである。
　
　ウ．
相違点３について
　そうしてみると、前記「下板の凹曲部」の構成は、引用発明における遊技球の遊技盤面での左右方向移動成分の有無、大小に応じて、当業者が適宜採用する単なる設計的事項である。
　
　エ．
相違点４について
　また、凹曲部の寸法を遊技球の直径の２倍よりも大きな奥行幅寸法を有するようにしたことによる作用効果も格別のものということができない。
　そうしてみると、上記相違点４に係るような「その後端縁が前記図柄表示体の横幅寸法とほぼ同じ横幅寸法を有し、その前端縁が前記後端縁の横幅寸法より小さくかつ前記始動口の入口寸法より大きな横幅寸法を有し、さらに遊技球の直径の２倍よりも大きな奥行幅寸法を有するように」凹曲部の寸法を設定することは、当業者が周知技術に基き容易に想到できる設計事項である。
　
　そして、本願発明１の効果は、引用刊行物１及び引用刊行物２に記載された発明並びに周知技術から当業者が予測できる程度のことであって、格別顕著なものということができない。
　
４．むすび
　以上のとおりであり、本願発明１は、引用刊行物１及び引用刊行物２に記載された発明並びに周知技術に基いて当業者が容易に発明をすることができたものであるから、特許法第２９条第２項の規定により特許を受けることができない。
　よって、結論のとおり審決する。